(57)【要約】【課題】給紙ローラの摩擦係数が低下したり、滑りやすいシート材を給送する場合にも確実に給送できるようにする。【解決手段】ピックアップローラ２１と一体に回動する回転軸３７に取り付けられ、ピックアップローラ２１の回転径よりも外周側に突出する部分を有し、供給トレイ８上に回転接触可能な補助給紙コロ４５と、補助給紙コロ４５を回転状態と停止状態とに切り換える切換手段４０と、ピックアップローラ２１の給紙動作開始から所定時間経過しても分離部スイッチ３２が原稿Ｄを検知しない場合に、供給トレイ８上の原稿Ｄがピックアップローラ２１によって送り出されなかったと判断し、切換手段４０により供給トレイ８上の原稿Ｄに補助給紙コロ４５を回転接触させ、原稿Ｄを下流側に送り込ませるＣＰＵ５０を備えた。【選択図】図４
2006096539.tif 000002
【特許請求の範囲】
【請求項１】
シート材を積載するシート積載手段と、
前記シート積載手段に積載されたシート材に回転接触し、シート材をシート材搬送路側に送り出す給紙手段と、
前記給紙手段よりもシート材搬送方向下流側に配置され、前記給紙手段によって前記シート積載手段から送り出されたシート材を検知するシート材検知手段と、
を備えたシート材搬送装置において、
前記給紙手段と一体に回動可能に取り付けられ、前記シート積載手段上のシート材に回転接触可能な補助給紙手段と、
前記補助給紙手段を回転状態と停止状態とに切り換える切換手段と、
前記給紙手段の給紙動作開始から所定時間経過しても前記シート材検知手段がシート材を検知しない場合に、前記シート積載手段上のシート材が前記給紙手段によって送り出されなかったと判断し、前記切換手段によって前記シート積載手段上のシート材に前記補助給紙手段を回転接触させ、シート材を下流側に送り込ませる制御手段と、
を備えたことを特徴とするシート材搬送装置。
【請求項２】
シート材を積載するシート積載手段と、
前記シート積載手段に積載されたシート材に回転接触し、シート材をシート材搬送路側に送り出す給紙手段と、
前記給紙手段よりもシート材搬送方向下流側に配置され、前記給紙手段によって前記シート積載手段から送り出されたシート材を検知するシート材検知手段と、
を備えたシート材搬送装置において、
前記給紙手段と一体に回動する回転軸に取り付けられ、前記給紙手段の回転径よりも外周側に突出する部分を少なくとも一部に有し、前記シート積載手段上のシート材に回転接触可能な補助給紙手段と、
前記補助給紙手段を前記回転軸に対して相対回動させるか、又は前記補助給紙手段を前記回転軸に対して一体回動させる切換手段と、
前記給紙手段の給紙動作開始から所定時間経過しても前記シート材検知手段がシート材を検知しない場合に、前記シート積載手段上のシート材が前記給紙手段によって送り出されなかったと判断し、前記切換手段によって前記補助給紙手段を前記回転軸に一体回動させ、前記シート積載手段上のシート材を前記補助給紙手段によってシート材搬送路側に送り込ませる制御手段と、
を備えたことを特徴とするシート材搬送装置。
【請求項３】
前記補助給紙手段は、少なくともシート材と接触する表面に粘着剤を塗布した給紙コロである、
ことを特徴とする請求項１又は２に記載のシート材搬送装置。
【請求項４】
前記補助給紙手段は、少なくともシート材と接触する表面を粗面化した給紙コロである、
ことを特徴とする請求項１又は２に記載のシート材搬送装置。
【請求項５】
前記補助給紙手段は、表面にシート材と接触する突起を形成した給紙コロである、
ことを特徴とする請求項１又は２に記載のシート材搬送装置。
【請求項６】
請求項１乃至５記載のシート材搬送装置と、このシート材搬送装置によって搬送されたシート材の画像を画像読み取り位置で読み取る画像読み取り手段と、を備えたことを特徴とする画像形成装置。
【発明の詳細な説明】
【技術分野】
【０００１】
本発明は、複写機、プリンタ、ファクシミリ等の画像形成装置と、この画像形成装置に用いられるＡＤＦ（Auto Document Feeder）等のシート材搬送装置に関する。
【背景技術】
【０００２】
従来、複写機、プリンタ、ファクシミリ等の画像形成装置に搭載されるシート材搬送装置は、画像形成装置本体の上部に配置されており、例えば、画像形成装置本体の上部奥側を揺動中心として、前側がほぼ上下方向に開閉できるようになっている。そして、開放状態においては、プラテンガラスに原稿を載置したり、また、原稿の取り出しが可能となる。一方、閉鎖状態においては、固定読み時の原稿を上方から押圧できるようになっている。また、原稿の流し読みは閉鎖状態で行われる。
【０００３】
このような画像形成装置に用いられるシート材搬送装置は、シート材を給送する際、ピックアップローラや給紙ローラがスリップし、シート材が所定時間内に所定位置まで到達しないときに、再給紙（リトライ給紙）を行うことは有効な方法であることが知られている。
【０００４】
また、再給紙を確実に行う手段として、例えば、再給紙回数を給紙手段の摩耗状態等に応じて任意に設定可能としたリトライ回数設定手段を設け、リトライ回数設定手段の設定回数までリトライを実行した場合に、ジャム発生と判断させるものが公知である（特許文献１参照）。
【０００５】
また、他の従来例として、シート検知手段により、シート材が給紙ローラ部を所定時間内に通過しないことを検知された場合、ピックアップローラを更にシート材に圧接させて、給送の補助を行うものが公知である（特許文献２参照）。
【０００６】
【特許文献１】特開平１１−３３４９３５号公報（第４頁、図３）
【特許文献２】特開２０００−１１８７４６号公報（第３頁、図１）
【発明の開示】
【発明が解決しようとする課題】
【０００７】
しかし、特許文献１の技術では、リトライ回数を増やすことは、偶発的な給紙不良には効果があるが、給紙力そのものを上げているわけではないので、給紙ローラの摩耗や紙粉汚れやオイル汚染等が原因の場合、その効果は期待できない。また、リトライ回数が多くなればなるほど、処理速度が遅くなり、生産性が落ちるというデメリットが生じる。
【０００８】
また、特許文献２の技術は、シート検知手段により給送不良が検知された場合に、ピックアップローラを更にシート材に圧接させるものであるが、この場合も特許文献１と同様で、偶発的な給紙不良には効果があるが、加圧力を上げてピックアップローラによる摩擦力を大きくしているが、給紙ローラが摩耗したり紙粉汚れやオイル汚染等が原因の場合、加圧力を上げてもその効果は期待できない。また、ピックアップローラの加圧力を上げると、該ピックアップローラの寿命が短くなる。
【０００９】
本発明は、給紙ローラの摩擦係数が低下したり、滑りやすいシート材を給送する場合にも確実に給送できるようにしたシート材搬送装置及びこれを用いた画像形成装置を提供することを目的とする。
【課題を解決するための手段】
【００１０】
請求項１の発明のシート材搬送装置は、シート材を積載するシート積載手段と、
前記シート積載手段に積載されたシート材に回転接触し、シート材をシート材搬送路側に送り出す給紙手段と、
前記給紙手段よりもシート材搬送方向下流側に配置され、前記給紙手段によって前記シート積載手段から送り出されたシート材を検知するシート材検知手段とを備えている。
【００１１】
このシート材搬送装置は、前記給紙手段と一体に回動可能に取り付けられ、前記シート積載手段上のシート材に回転接触可能な補助給紙手段と、
前記補助給紙手段を回転状態と停止状態とに切り換える切換手段と、
前記給紙手段の給紙動作開始から所定時間経過しても前記シート材検知手段がシート材を検知しない場合に、前記シート積載手段上のシート材が前記給紙手段によって送り出されなかったと判断し、前記切換手段によって前記シート積載手段上のシート材に前記補助給紙手段を回転接触させ、シート材を下流側に送り込ませる制御手段とを備えたことを特徴とする。
【００１２】
請求項２の発明のシート材搬送装置は、シート材を積載するシート積載手段と、
前記シート積載手段に積載されたシート材に回転接触し、シート材をシート材搬送路側に送り出す給紙手段と、
前記給紙手段よりもシート材搬送方向下流側に配置され、前記給紙手段によって前記シート積載手段から送り出されたシート材を検知するシート材検知手段とを備えている。
【００１３】
このシート材搬送装置は、前記給紙手段と一体に回動する回転軸に取り付けられ、前記給紙手段の回転径よりも外周側に突出する部分を少なくとも一部に有し、前記シート積載手段上のシート材に回転接触可能な補助給紙手段と、
前記補助給紙手段を前記回転軸に対して相対回動させるか、又は前記補助給紙手段を前記回転軸に対して一体回動させる切換手段と、
前記給紙手段の給紙動作開始から所定時間経過しても前記シート材検知手段がシート材を検知しない場合に、前記シート積載手段上のシート材が前記給紙手段によって送り出されなかったと判断し、前記切換手段によって前記補助給紙手段を前記回転軸に一体回動させ、前記シート積載手段上のシート材を前記補助給紙手段によってシート材搬送路側に送り込ませる制御手段とを備えたことを特徴とする。
【００１４】
請求項３の発明は、請求項１又は２に記載のシート材搬送装置において、
前記補助給紙手段は、少なくともシート材と接触する表面に粘着剤を塗布した給紙コロであることを特徴とする。
【００１５】
請求項４の発明は、請求項１又は２に記載のシート材搬送装置において、
前記補助給紙手段は、少なくともシート材と接触する表面を粗面化した給紙コロであることを特徴とする。
【００１６】
請求項５の発明は、請求項１又は２に記載のシート材搬送装置において、
前記補助給紙手段は、表面にシート材と接触する突起を形成した給紙コロであることを特徴とする。
【００１７】
請求項６の発明の画像形成装置は、請求項１乃至５記載のシート材搬送装置と、このシート材搬送装置によって搬送されたシート材の画像を画像読み取り位置で読み取る画像読み取り手段と、を備えたことを特徴とする。
【発明の効果】
【００１８】
請求項１又は２の発明によれば、シート材検知手段により無給紙を検知した場合は、切換手段によりシート積載手段上のシート材に補助給紙手段を回転接触させ、シート材を下流側に送り込ませる制御手段を備えたことにより、滑りやすいシート材である場合等にも確実に給紙することができる。
【００１９】
請求項３乃至５の発明によれば、補助給紙手段は、表面に粘着剤を塗布等した給紙コロであることにより、無給紙を検知した場合でも確実に給紙することができる。
【００２０】
請求項６の発明によれば、シート材搬送装置と、このシート材搬送装置によって搬送されたシート材の画像を画像読み取り位置で読み取る画像読み取り手段とを備えたことにより、シート材を１枚づつ確実に給紙してそのシート材の画像を読み取ることができる。
【発明を実施するための最良の形態】
【００２１】
以下、図面に基づき、本発明の実施の形態の画像形成装置について説明する。
［画像形成装置の構成］
図１は、本発明の画像形成装置の概略構成を示す図である。この図１に示すように、画像形成装置１は、画像形成装置本体２の内部にプリンタ部３及びスキャナ部４が収容されている。そして、この画像形成装置本体２の上部には、原稿（シート材）Ｄをコンタクトガラス（画像読み取り部）５に一枚づつ自動的に送り込むシート材搬送装置としての原稿自動送り装置６が取り付けられている。
【００２２】
この画像形成装置１は、原稿自動送り装置６によってコンタクトガラス（画像読み取り部）５に送り込まれた原稿Ｄの画像情報をスキャナ部４で読み取って光電変換し、その光電変換したデジタルデータをプリンタ部３の画像形成部７に出力するようになっている。
【００２３】
このプリンタ部３は、給紙トレイ１４から送り出された記録材Ｐ（紙、プラスチックフィルム、ＯＨＰシート等）に画像形成部７でトナー画像を形成（転写）し、そのトナー画像が転写された記録材Ｐを定着部１０によって加熱・加圧し、記録材Ｐにトナー像を定着させた後、プリント済みの記録材Ｐを排紙トレイ１５上に排出するようになっている。
【００２４】
なお、スキャナ部４は、画像読み取り手段としての走査ユニット１２が画像読み取り位置（ＨＰ）に固定されて、原稿自動送り装置６によって搬送される原稿を流し読みする他に、走査ユニット１２が画像読み取り位置（ＨＰ）から図１の右側方向に移動して、プラテンガラス（画像読み取り部）１３の上面に固定された原稿の画像面を走査することもできるようになっている。また、画像形成部７は、スキャナ部４で読み取った画像データや、複写機、ファクシミリ、パソコンから出力される送信データに基づいて、記録材Ｐにトナー画像を転写するようになっている。
［原稿自動送り装置の構成］
原稿自動送り装置６は、画像形成装置本体２の背面側（図１の奥行き側）の上部に回動可能に取り付けられており、画像形成装置本体２から上方に持ち上げるように回動させることで、画像形成装置本体２の上部に固定されたプラテンガラス１３の上面を開くことができるようになっている。
【００２５】
図２は、原稿自動送り装置６の概略構成図である。この図２に示すように、原稿自動送り装置６は、複数枚の原稿Ｄを上側から順に原稿搬送路２０に送り出すものであり、シート積載手段としての給紙トレイ８、リフト板９、給紙手段としてのピックアップローラ２１、給紙コロ２２と分離コロ２３、給紙コロ２２の下流側に設けられたシート材検知手段としての分離部スイッチ３２、搬送ローラ対２５ａ，２５ｂ、読取ガイド３４、排出ローラ対２８ａ，２８ｂ、排紙トレイ１１を備えている。
【００２６】
リフト板９は、その基端部９ａを基準に先端部９ｂが上下に移動可能となっていて、図示しない駆動手段により昇降されるようになっている。また、このリフト板９には、原稿の有無を検知する原稿検知スイッチ（図示せず）が設けられている。ピックアップローラ２１は、給紙トレイ８上の原稿Ｄに回転接触してこの原稿Ｄを前方に送り出し、給紙コロ２２と分離コロ２３により、送り出された原稿Ｄを１枚づつ分離する。分離部スイッチ３２は、給紙動作開始から所定時間経過しても原稿Ｄが分離部スイッチ３２の下部を通過しない場合、無給紙を検知するようになっている。
【００２７】
そして、分離部スイッチ３２が無給紙を検知すると、後述のＣＰＵ（制御手段）５０が切換手段４０を介して補助給紙コロ（補助給紙手段）４５を原稿Ｄに回転接触させ、原稿Ｄを下流側に送り込ませるようになっている（図４参照）。
【００２８】
以上により、この原稿自動送り装置６において、原稿Ｄの読み取り（流し読み）は、以下のようにして行われる。
【００２９】
給紙トレイ８上に、複数枚の原稿Ｄがそれぞれの画像面を上方に向けた状態で重ねてセットすると、リフト板９の先端部９ｂが上昇して、給紙トレイ８上の原稿Ｄの先端側を押し上げ、最上位の原稿Ｄの上面（画像面）をピックアップローラ２１に軽く当接させ、ピックアップローラ２１の回転によって給紙する。そして、給紙された原稿Ｄは、給紙コロ２２と分離コロ２３により１枚づつ分離されて最上位の原稿Ｄが送り出され、搬送ローラ対２５ａ，２５ｂと読取ガイド３４により、コンタクトガラス（画像読み取り部）５に導かれる。ここで、走査ユニット１２によって画像情報が読み取られ、読み取り後の原稿Ｄは、排出ローラ対２８ａ，２８ｂによって排紙トレイ１１上に排出されるようになっている。
［補助給紙手段の構成］
図３及び図４は、原稿自動送り装置６の平面図及び側面図である。この図３及び図４に示すように、ピックアップローラ２１と給紙コロ２２を支持した回転軸３７，３８が、ＡＤＦカバー３６に回動可能に取り付けられている。また、ピックアップローラ２１と給紙コロ２２の間に巻回されたベルト４２（図２参照）により、給紙コロ２２の動力がピックアップローラ２１に伝動されるようになっている。このピックアップローラ２１は、回転軸３７に一体回動可能に取り付けられている。更に、分離コロ２３には、図示しない動力源からの動力が伝動されていて、給紙コロ２２と分離コロ２３は同じ方向に回転し（図４の時計方向）、上側の原稿Ｄから順に原稿搬送路２０に送り出すようになっている。但し、１枚給紙の時は、分離コロ２３は給紙コロ２２に従動回転して原稿Ｄを原稿搬送路２０に送り出すようになっている。
【００３０】
また、回転軸３７には、トルクリミッタ４４を介して補助給紙コロ（補助給紙手段）４５が取り付けられていて、この補助給紙コロ４５は、ピックアップローラ２１を両側から挟むように２個取り付けられている。
【００３１】
図４（ａ）（ｂ）に示すように、この補助給紙コロ４５は、ピックアップローラ２１の外径よりも突出した部分を一部に有していて、また、外周側に係止部４５ａを有している。この係止部４５ａに近接して、ソレノイド４７のＯＮ，ＯＦＦにより、図４（ａ）の上下に揺動し、係止部４５ａに係止したり外れたりするフック４６が設けられている。このソレノイド４７とフック４６を有する切換手段４０により、補助給紙コロ４５を回転軸３７に対して相対回動又は一体回動させたり、停止させたりできるようになっている。
【００３２】
そして、通常の給紙時には、ソレノイド４７がＯＦＦしていて、フック４６が係止部４５ａに係止した状態であって、補助給紙コロ４５は回転を停止している。また、分離部スイッチ３２により無給紙が検知され、ＣＰＵ５０によりソレノイド４７がＯＮすると、フック４６が係止部４５ａから外れる。すると、補助給紙コロ４５は回転軸３７に対して相対回動したり一体回動し、ピックアップローラ２１の外径から突出した部分が、給紙トレイ８上の原稿Ｄに回転接触してこの原稿Ｄを原稿搬送路２０の下流側に送り込むようになっている。
【００３３】
次に、図５乃至図８は、補助給紙コロ４５の実施の形態を示している。
【００３４】
図５は、補助給紙コロ４５は、少なくとも原稿Ｄと接触する表面に、摩擦係数の高いゴム５１を取り付けた状態を示している。これにより、無給紙が検知されてソレノイド４７がＯＮすると、フック４６が係止部４５ａから外れ、補助給紙コロ４５が回転軸３７に対して相対回動したり一体回動する。そして、ピックアップローラ２１の外径から突出した部分のゴム５１が、原稿Ｄに回転接触してこの原稿Ｄを原稿搬送路２０の下流側に送り込む。
【００３５】
図６は、補助給紙コロ４５は、少なくとも原稿Ｄと接触する表面に、サンドブラスト加工で粗面化した部分５２を設けた状態を示している。これにより、無給紙が検知されてソレノイド４７がＯＮすると、フック４６が係止部４５ａから外れ、補助給紙コロ４５が回転軸３７に対して相対回動したり一体回動する。そして、ピックアップローラ２１の外径から突出した粗面化した部分５２が、原稿Ｄに回転接触してこの原稿Ｄを原稿搬送路２０の下流側に送り込む。なお、サンドブラスト加工による粗面化した部分５２の代わりに、紙ヤスリ状の粗い粒子を付着させても良い。
【００３６】
図７は、補助給紙コロ４５は、少なくとも原稿Ｄと接触する表面に、粘着剤を塗布した粘着部５３を設けた状態を示している。これにより、無給紙が検知されてソレノイド４７がＯＮすると、フック４６が係止部４５ａから外れ、補助給紙コロ４５が回転軸３７に対して相対回動したり一体回動する。そして、ピックアップローラ２１の外径から突出した粘着部５３が、原稿Ｄに回転接触してこの原稿Ｄを原稿搬送路２０の下流側に送り込む。
【００３７】
図８（ａ）（ｂ）は、補助給紙コロ４５は、少なくとも原稿Ｄと接触する表面に、突起５４を形成した状態を示している。これにより、無給紙が検知されてソレノイド４７がＯＮすると、フック４６が係止部４５ａから外れ、補助給紙コロ４５が回転軸３７に対して相対回動したり一体回動する。そして、ピックアップローラ２１の外径から突出した突起５４が、原稿Ｄに回転接触してこの原稿Ｄを原稿搬送路２０の下流側に送り込む。
【００３８】
以上により、無給紙が検知された場合は、補助給紙コロ４５が原稿Ｄに回転接触して原稿搬送路２０の下流側に確実に送り込む。
【００３９】
図９は、本実施の形態のフローチャートを示している。
【００４０】
Ｓ１で、給紙トレイ８上に複数枚の原稿Ｄをセットした後、Ｓ２で、プリントキーをＯＮする。すると、Ｓ３で、給紙動作を開始したか否かを判断し、給紙動作を開始した場合は、Ｓ４に進み、給紙動作を開始しない場合は、再度給紙動作を開始する。Ｓ４では、ＪＡＭタイマを開始し、Ｓ５に進む。Ｓ５では、全ての原稿Ｄの給紙が完了したか否かを判断し、完了した場合は終了し、完了しない場合はＳ６に進む。このＳ６で、ＪＡＭタイマが到達する（分離部スイッチ３２が無給紙を検知する）。次に、Ｓ７で、ソレノイド４７をＯＮし、更に、Ｓ８で補助給紙コロ４５を回転させ、Ｓ９に進む。Ｓ９では、給紙が完了したか否かを判断し、完了した場合は終了し、完了しない場合はＳ１０に進んで、ＪＡＭ検知を行う。
【００４１】
図１０及び図１１は、補助給紙コロ４５の他の実施の形態を示している。
【００４２】
この実施の形態では、ピックアップローラ２１は小径のボス部２１ａを有し、このボス部２１ａに、巻きバネ５５を挿入し、この巻きバネ５５の一端５５ａを開放し、他端５５ｂを補助給紙コロ４５の小穴４５ａに係止している。
【００４３】
そして、通常の給紙時には、ソレノイド４７がＯＦＦし、フック４６は巻きバネ５５の一端５５ａに当接した状態になっている。この状態では、巻きバネ５５とボス部２１ａとの間のわずかな摩擦力では、ピックアップローラ２１が矢印方向に回転しても、補助給紙コロ４５（及び巻きバネ５５）は回転せずに停止している。
【００４４】
次に、分離部スイッチ３２により無給紙が検知され、ＣＰＵ５０によりソレノイド４７がＯＮすると、フック４６が巻きバネ５５の一端５５ａから外れた状態になる。すると、巻きバネ５５とボス部２１ａとの間の摩擦力により、巻きバネ５５が少しづつ回転してこの巻きバネ５５の径が小さくなり、ボス部２１ａを締め付ける。このため、ピックアップローラ２１とともに巻きバネ５５が回転し、巻きバネ５５の他端５５ｂに係止された補助給紙コロ４５が連れ回りする。そして、ソレノイド４７がＯＦＦすると、フック４６が巻きバネ５５の一端５５ａに当接し、巻きバネ５５がボス部２１ａから緩んで、補助給紙コロ４５の回転は停止する。
【産業上の利用可能性】
【００４５】
本発明は、複写機、ファクシミリ、プリンタ、或いはこれらの機能を併有した複合機等の画像形成装置の分野において、原稿自動送り装置として使用できることは勿論のこと、画像形成部にシート状の記録材を送り出す給紙装置としても利用できる。また、スキャナの原稿自動送り装置としても利用できる。
【図面の簡単な説明】
【００４６】
【図１】原稿自動送り装置と画像形成装置の概略構成図である。
【図２】原稿自動送り装置の拡大図である。
【図３】原稿自動送り装置の平面図である。
【図４】（ａ）は同上の側面図、（ｂ）は補助給紙コロの側面図である。
【図５】原稿自動送り装置の概略側面図である。
【図６】原稿自動送り装置の概略側面図である。
【図７】原稿自動送り装置の概略側面図である。
【図８】（ａ）は原稿自動送り装置の概略側面図、（ｂ）は補助給紙コロの外観図である。
【図９】給紙動作のフローチャートを示す図である。
【図１０】ピックアップローラと補助給紙コロを分解した状態の外観図である。
【図１１】ピックアップローラと補助給紙コロの組立状態の外観図である。
【符号の説明】
【００４７】
１……画像形成装置、６……原稿自動送り装置（シート材搬送装置）、８……給紙トレイ（シート積載手段）、１２……走査ユニット（画像読み取り手段）、２１……ピックアップローラ（給紙手段）、３２……分離部スイッチ（シート材検知手段）、３７……回転軸、４０……切換手段、４５……補助給紙コロ（補助給紙手段）、５０……ＣＰＵ（制御手段）、Ｄ……原稿
【図１】
2006096539.tif 000003
【図２】
2006096539.tif 000004
【図３】
2006096539.tif 000005
【図４】
2006096539.tif 000006
【図５】
2006096539.tif 000007
【図６】
2006096539.tif 000008
【図７】
2006096539.tif 000009
【図８】
2006096539.tif 000010
【図９】
2006096539.tif 000011
【図１０】
2006096539.tif 000012
【図１１】
2006096539.tif 000013